(57)【要約】【課題】加熱機器に係る通信の省電力化を実現しつつ、加熱機器を利用するユーザの利便性を向上させることができる加熱機器監視システム及びアプリケーションプログラムを提供する。【解決手段】加熱機器監視システム１は、近距離無線通信ＢＴ１を行う第１機器内通信部５０Ｔ、６０Ｔ、７０Ｔを有する加熱機器５０、６０、７０と、近距離無線通信ＢＴ１を行う第１通信部１０Ｔを有し、第１機器内通信部５０Ｔ、…と第１通信部１０Ｔとが通信可能な範囲内に位置する第１端末装置１０と、第１端末装置１０との間で近距離無線通信ＢＴ１とは異なる通信を行う第２通信部２０Ｔを有する第２端末装置２０と、を備える。第２端末装置２０は、第２通信部２０Ｔ及び第１通信部１０Ｔを経由して第１機器内通信部５０Ｔ、…と通信することにより、加熱機器５０、…の運転情報を取得し、取得した運転情報を報知するように構成される。【選択図】図２
2020150454.tif 000002
【特許請求の範囲】
【請求項１】
宅内に設置され、近距離無線通信を行う第１機器内通信部を有する加熱機器と、
前記宅内に設置され、前記近距離無線通信を行う第１通信部を有し、前記第１機器内通信部と前記第１通信部とが通信可能な範囲内に位置する第１端末装置と、
前記宅内に設置され、前記第１端末装置との間で前記近距離無線通信とは異なる通信を行う第２通信部を有する第２端末装置と、
を備え、
前記第２端末装置は、前記第２通信部及び前記第１通信部を経由して前記第１機器内通信部と通信することにより、前記加熱機器の運転情報を取得し、取得した前記運転情報を報知するように構成されていることを特徴とする加熱機器監視システム。
【請求項２】
前記第１端末装置は、前記宅内の台所又は浴室に湯を供給する給湯装置を操作するために、前記台所内に設置される台所リモコンであり、
前記第２端末装置は、前記給湯装置を操作するために、前記浴室内に設置される浴室リモコンである請求項１記載の加熱機器監視システム。
【請求項３】
前記加熱機器は、バッテリからの給電によって、ガス燃焼の制御と、前記第１機器内通信部による前記近距離無線通信とを行うガス加熱調理器である請求項１又は２記載の加熱機器監視システム。
【請求項４】
前記第２端末装置は、前記加熱機器の操作を行うための入力手段を有し、前記操作に関する入力を前記入力手段が受けたときに、前記第２通信部及び前記第１通信部を経由して前記第１機器内通信部と通信することにより、前記加熱機器を操作可能である請求項１乃至３のいずれか１項記載の加熱機器監視システム。
【請求項５】
前記宅内に設置され、前記近距離無線通信を行う第２機器内通信部を有し、前記加熱機器を撮影可能、かつ前記第２機器内通信部と前記第１通信部とが通信可能な範囲内に位置する撮影機器をさらに備え、
前記第２端末装置は、前記第２通信部及び前記第１通信部を経由して前記第２機器内通信部と通信することにより、前記運転情報として前記撮影機器の撮影情報を取得し、取得した前記撮影情報を報知する請求項１乃至４のいずれか１項記載の加熱機器監視システム。
【請求項６】
前記近距離無線通信を行う第３通信部を有し、前記第３通信部と、前記第１通信部及び前記第１機器内通信部とが通信可能な範囲内に位置することが可能な第３端末装置をさらに備え、
前記第３端末装置は、ネットワークを経由して外部サーバとも通信可能であり、
前記第２端末装置は、前記第２通信部、前記第１通信部及び前記第３通信部を経由して前記第１機器内通信部と通信することによっても、前記運転情報を取得する請求項１乃至５のいずれか１項記載の加熱機器監視システム。
【請求項７】
宅内に設置された加熱機器を監視する加熱機器監視システムに用いられるアプリケーションプログラムであって、
前記加熱機器監視システムは、
近距離無線通信を行う第１機器内通信部を有する前記加熱機器と、
前記宅内に設置され、前記近距離無線通信を行う第１通信部を有し、前記第１機器内通信部と前記第１通信部とが通信可能な範囲内に位置する第１端末装置と、
前記宅内に設置され、前記第１端末装置との間で前記近距離無線通信とは異なる通信を行う第２通信部を有する第２端末装置と、
を備え、
前記第２端末装置は、前記第２通信部及び前記第１通信部を経由して前記第１機器内通信部と通信することにより、前記加熱機器の運転情報を取得し、取得した前記運転情報を報知するように構成されているとともに、前記加熱機器の操作を行うための入力手段を有し、
前記加熱機器監視システムは、
前記近距離無線通信を行う第３通信部を有し、前記第３通信部と、前記第１通信部及び前記第１機器内通信部とが通信可能な範囲内に位置することが可能な第３端末装置をさらに備え、
前記第３端末装置は、ネットワークを経由して外部サーバとも通信可能であり、
前記アプリケーションプログラムは、前記第２端末装置について、前記第２通信部、前記第１通信部及び前記第３通信部を経由して前記加熱機器と通信可能とし、前記第２端末装置が前記第３通信部を経由して前記運転情報を取得することを可能とするとともに、前記第２端末装置の前記入力手段に対して行われる前記操作に関する入力に基づいて前記第３通信部を経由して前記加熱機器を操作するように構成されていることを特徴とするアプリケーションプログラム。
【発明の詳細な説明】
【技術分野】
【０００１】
本発明は加熱機器監視システム及びアプリケーションプログラムに関する。
【背景技術】
【０００２】
例えば特許文献１に開示されているように、宅内に設置される加熱調理器等である加熱機器と、宅内に設置される情報管理装置等である端末装置とが通信可能なシステムが知られている。このようなシステムでは、例えば、端末装置が加熱機器の運転情報を取得して報知する等、加熱機器の監視を行うことが可能となっており、加熱機器を利用するユーザの利便性の向上を図っている。
【先行技術文献】
【特許文献】
【０００３】
【特許文献１】特開２００５−３７０６８号公報
【発明の概要】
【発明が解決しようとする課題】
【０００４】
ところで、上記のように加熱機器の監視を行うことが可能なシステムについて、省電力化のため、端末装置と加熱機器との間での通信に低出力の近距離無線通信を用いることが考えられる。近距離無線通信の具体例としては、Ｂｌｕｅtｏｏｔｈ（登録商標）や赤外線通信等が挙げられる。
【０００５】
しかしながら、この場合において、加熱機器と端末装置とが離れた場所に設置されたり、双方の間に壁や家具等の遮蔽物等があったりすると、近距離無線通信によって送受信される情報の品質が低下したり、送受信ができなくなったりするおそれがあり、加熱機器の監視を適正に行うことが難しくなる可能性がある。その結果、このシステムでは、加熱機器に係る通信の省電力化を実現しつつ、加熱機器を利用するユーザの利便性を向上させることが難しいという問題がある。
【０００６】
本発明は、上記従来の実情に鑑みてなされたものであって、加熱機器に係る通信の省電力化を実現しつつ、加熱機器を利用するユーザの利便性を向上させることができる加熱機器監視システム及びアプリケーションプログラムを提供することを解決すべき課題としている。
【課題を解決するための手段】
【０００７】
本発明の加熱機器監視システムは、宅内に設置され、近距離無線通信を行う第１機器内通信部を有する加熱機器と、
前記宅内に設置され、前記近距離無線通信を行う第１通信部を有し、前記第１機器内通信部と前記第１通信部とが通信可能な範囲内に位置する第１端末装置と、
前記宅内に設置され、前記第１端末装置との間で前記近距離無線通信とは異なる通信を行う第２通信部を有する第２端末装置と、
を備え、
前記第２端末装置は、前記第２通信部及び前記第１通信部を経由して前記第１機器内通信部と通信することにより、前記加熱機器の運転情報を取得し、取得した前記運転情報を報知するように構成されていることを特徴とする。
【０００８】
本発明の加熱機器監視システムでは、加熱機器の第１機器内通信部と、第１端末装置の第１通信部との間で、近距離無線通信によって通信が行われる。ここで、第１端末装置は、第１機器内通信部と第１通信部とが通信可能な範囲内に位置するので、加熱機器と第１端末装置との間で低出力の近距離無線通信によって送受信される情報の品質の低下及び送受信ができなくなる不具合が発生し難い。
【０００９】
そして、第２端末装置の第２通信部と第１端末装置との間で、近距離無線通信とは異なる通信が行われる。これにより、加熱機器と第２端末装置とが離れた場所に設置されたり、加熱機器と第２端末装置との間に遮蔽物等があったりする場合でも、第２端末装置が第２通信部及び第１通信部を経由して第１機器内通信部と通信することにより、加熱機器の監視を適正に行うことができる。
【００１０】
その結果、ユーザは、第２端末装置の報知に基づいて、加熱機器に消し忘れ等の異常がないか等、加熱機器の運転情報を好適に確認することができる。
【００１１】
したがって、本発明の加熱機器監視システムでは、加熱機器に係る通信の省電力化を実現しつつ、加熱機器を利用するユーザの利便性を向上させることができる。
【００１２】
第１端末装置は、宅内の台所又は浴室に湯を供給する給湯装置を操作するために、台所内に設置される台所リモコンであることが望ましい。また、第２端末装置は、給湯装置を操作するために、浴室内に設置される浴室リモコンであることが望ましい。
【００１３】
この場合、仮に専用の第１端末装置を台所リモコンとは別に設ける場合と比較して、台所内における第１端末装置の設置スペースを容易に確保できるとともに、台所内の景観が損なわれることを抑制できる。また、入浴中のユーザが入浴を中断することなく、浴室リモコンを用いて加熱機器の運転情報を好適に確認することができる。
【００１４】
加熱機器は、バッテリからの給電によって、ガス燃焼の制御と、第１機器内通信部による近距離無線通信とを行うガス加熱調理器であることが望ましい。
【００１５】
この場合、近距離無線通信を行う第１機器内通信部の消費電力が小さいことにより、ガス加熱調理器に給電するバッテリの寿命を長くできる。
【００１６】
第２端末装置は、加熱機器の操作を行うための入力手段を有し、操作に関する入力を入力手段が受けたときに、第２通信部及び第１通信部を経由して第１機器内通信部と通信することにより、加熱機器を操作可能であることが望ましい。
【００１７】
この場合、加熱機器から離れた場所や、加熱機器との間に遮蔽物等がある場所においても、第２端末装置を操作することにより、加熱機器に消し忘れ等の異常がないかを確認したり、加熱機器に異常があったときに加熱機器の電源遮断や加熱停止を行ったりすることができるので、加熱機器の安全性をより向上させることができる。また、加熱機器に異常があったときに、その異常を解消するためにユーザが加熱機器の設置場所まで移動する手間を省くことができるので、ユーザの利便性をより向上させることができる。
【００１８】
本発明の加熱機器監視システムは、宅内に設置され、近距離無線通信を行う第２機器内通信部を有し、加熱機器を撮影可能、かつ第２機器内通信部と第１通信部とが通信可能な範囲内に位置する撮影機器をさらに備えていることが望ましい。そして、第２端末装置は、第２通信部及び第１通信部を経由して第２機器内通信部と通信することにより、運転情報として撮影機器の撮影情報を取得し、取得した撮影情報を報知することが望ましい。
【００１９】
この場合、加熱機器から離れた場所や、加熱機器との間に遮蔽物等がある場所においても、第２端末装置が取得した撮影機器の撮影情報に基づいて、加熱機器の運転状況やその周辺の状況を容易に確認できる。また、第２端末装置が加熱機器の操作を行うための入力手段を有する場合には、撮影機器の撮影情報に基づいて、入力が必要か否かを容易に判断できる。その結果、ユーザの利便性をより一層向上させることができる。
【００２０】
本発明の加熱機器監視システムは、近距離無線通信を行う第３通信部を有し、第３通信部と、第１通信部及び第１機器内通信部とが通信可能な範囲内に位置することが可能な第３端末装置をさらに備えていることが望ましい。第３端末装置は、ネットワークを経由して外部サーバとも通信可能であることが望ましい。そして、第２端末装置は、第２通信部、第１通信部及び第３通信部を経由して第１機器内通信部と通信することによっても、運転情報を取得することが望ましい。
【００２１】
この場合、第３端末装置は、外部サーバを経由した専用プログラムの更新や、加熱機器の追加及び削除等の設定情報の更新を容易に実施できる。そのような第３端末装置を活用して加熱機器を監視することにより、ユーザの利便性をより一層向上させることができる。また、第２端末装置が加熱機器の操作を行うための入力手段を有する場合において、操作に関する入力を入力手段が受けたときに、第３端末装置を経由して、加熱機器を操作することもできる。
【００２２】
本発明のアプリケーションプログラムは、宅内に設置された加熱機器を監視する加熱機器監視システムに用いられるアプリケーションプログラムであって、
前記加熱機器監視システムは、
近距離無線通信を行う第１機器内通信部を有する前記加熱機器と、
前記宅内に設置され、前記近距離無線通信を行う第１通信部を有し、前記第１機器内通信部と前記第１通信部とが通信可能な範囲内に位置する第１端末装置と、
前記宅内に設置され、前記第１端末装置との間で前記近距離無線通信とは異なる通信を行う第２通信部を有する第２端末装置と、
を備え、
前記第２端末装置は、前記第２通信部及び前記第１通信部を経由して前記第１機器内通信部と通信することにより、前記加熱機器の運転情報を取得し、取得した前記運転情報を報知するように構成されているとともに、前記加熱機器の操作を行うための入力手段を有し、
前記加熱機器監視システムは、
前記近距離無線通信を行う第３通信部を有し、前記第３通信部と、前記第１通信部及び前記第１機器内通信部とが通信可能な範囲内に位置することが可能な第３端末装置をさらに備え、
前記第３端末装置は、ネットワークを経由して外部サーバとも通信可能であり、
前記アプリケーションプログラムは、前記第２端末装置について、前記第２通信部、前記第１通信部及び前記第３通信部を経由して前記加熱機器と通信可能とし、前記第２端末装置が前記第３通信部を経由して前記運転情報を取得することを可能とするとともに、前記第２端末装置の前記入力手段に対して行われる前記操作に関する入力に基づいて前記第３通信部を経由して前記加熱機器を操作するように構成されていることを特徴とする。
【００２３】
本発明のアプリケーションプログラムによれば、第２端末装置が第３端末装置の第３通信部を経由して加熱機器と通信できる。ここで、第３端末装置は外部サーバを経由して専用プログラム（アプリケーションプログラム）の更新等を行うときに、加熱機器の追加及び削除等の設定情報の更新を容易に実施できることから、第２端末装置は、そのような第３端末装置を利用して加熱機器の監視を適正に行うことができる。その結果、ユーザは、第２端末装置の報知に基づいて、加熱機器に消し忘れ等の異常がないか等、加熱機器の運転情報を好適に確認することができる。
【００２４】
したがって、本発明のアプリケーションプログラムでは、加熱機器に係る通信の省電力化を実現しつつ、加熱機器を利用するユーザの利便性を向上させることができる。
【発明の効果】
【００２５】
本発明の加熱機器監視システム及びアプリケーションプログラムによれば、加熱機器に係る通信の省電力化を実現しつつ、加熱機器を利用するユーザの利便性を向上させることができる。
【図面の簡単な説明】
【００２６】
【図１】図１は、実施例の加熱機器監視システムの模式図である。
【図２】図２は、実施例の加熱機器監視システムのブロック図である。
【図３】図３は、浴室リモコンにおいて実行されるアプリケーションプログラムのフローチャートである。
【図４】図４は、浴室リモコンにおいて実行されるアプリケーションプログラムのフローチャートである。
【図５】図５は、第２端末装置としての浴室リモコンの正面図であって、浴室リモコンの第２表示部に表示される具体例を示す図である
【図６】図６は、浴室リモコンの第２表示部に表示される具体例を示す図である。
【図７】図７は、浴室リモコンの第２表示部に表示される具体例を示す図である。
【図８】図８は、浴室リモコンの第２表示部に表示される変形例を示す図である。
【図９】図９は、浴室リモコンの第２表示部に表示される変形例を示す図である。
【発明を実施するための形態】
【００２７】
以下、本発明を具体化した実施例を図面を参照しつつ説明する。
【００２８】
（実施例）
図１及び図２に示す実施例の加熱機器監視システム１は、本発明の加熱機器監視システムの具体的態様の一例であり、住宅Ｈ１に適用されている。住宅Ｈ１には、給湯装置９０が設置されている。給湯装置９０は、台所Ｒ１や浴室Ｒ２等に湯を供給する給湯運転、浴室Ｒ２の浴槽Ｒ２Ｂに湯はりを行う湯はり運転、浴槽Ｒ２Ｂ内の湯を加熱する追い焚き運転、浴槽Ｒ２Ｂに足し湯を行う足し湯運転、浴槽Ｒ２Ｂ内の湯の保温を行う保温運転等の風呂運転を実行可能である。
【００２９】
加熱機器監視システム１は、台所Ｒ１に設置された台所リモコン１０と、浴室Ｒ２に設置された浴室リモコン２０とを備えている。台所リモコン１０及び浴室リモコン２０はそれぞれ、給湯装置９０を離れた場所で操作して、上述した給湯運転や湯はり運転等を実行させるための端末装置である。台所リモコン１０は、本発明の「第１端末装置」の一例である。浴室リモコン２０は、本発明の「第２端末装置」の一例である。
【００３０】
また、加熱機器監視システム１は、台所Ｒ１に設置されたガスコンロ５０、ファンヒータ６０及び炊飯器７０を備えている。ガスコンロ５０、ファンヒータ６０及び炊飯器７０は、本発明の「加熱機器」の一例である。また、ガスコンロ５０は、本発明の「ガス加熱調理器」の一例である。
【００３１】
さらに、加熱機器監視システム１は、台所Ｒ１に設置されたカメラ８０と、住宅Ｈ１に居住するユーザが携帯して台所Ｒ１等で使用する携帯端末３０とを備えている。カメラ８０は、本発明の「撮影機器」の一例である。携帯端末３０は、スマートフォン等の携帯電話や、携帯式のタブレット端末等である。携帯端末３０は、本発明の「第３端末装置」の一例である。
【００３２】
そして、加熱機器監視システム１は、台所リモコン１０，浴室リモコン２０，携帯端末３０及びカメラ８０を利用して、住宅Ｈ１内の台所Ｒ１に設置されたガスコンロ５０、ファンヒータ６０及び炊飯器７０を監視するようになっている。
【００３３】
図３及び図４に示すアプリケーションプログラムは、本発明のアプリケーションプログラムの一例である。このアプリケーションプログラムは、加熱機器監視システム１の一部を構成する浴室リモコン２０にインストールされて、ガスコンロ５０、ファンヒータ６０及び炊飯器７０を監視するために実行される。
【００３４】
以下、加熱機器監視システム１を構成する各構成要素について詳しく説明する。
【００３５】
＜台所リモコンの構成＞
台所リモコン１０は、図１及び図２に示す第１表示部１０Ｄ及び第１入力部１０Ｅを有している。第１表示部１０Ｄは、液晶パネル等であり、文字や画像等の各種情報を表示する。第１入力部１０Ｅは、複数の操作スイッチにより構成されており、給湯装置９０等の操作に関する入力を受ける。
【００３６】
また、台所リモコン１０は、図２に示す第１制御部１０Ｃ及び第１通信部１０Ｔを有している。
【００３７】
第１制御部１０Ｃは、マイコン、メモリ、インターフェース回路等を含む電子回路ユニットにより構成されており、台所リモコン１０の動作に関する制御処理を実行する。第１制御部１０Ｃは、第１入力部１０Ｅに対する入力に基づいて、第１通信部１０Ｔを経由して情報の送受信を行ったり、第１表示部１０Ｄによって、給湯装置９０の運転状況等の各種情報を表示したりする。
【００３８】
第１通信部１０Ｔは、給湯装置９０と有線によって接続されており、給湯装置９０との間で通信を行う。また、第１通信部１０Ｔは、浴室リモコン２０とも有線によって接続されており、浴室リモコン２０との間でも通信を行う。
【００３９】
さらに、第１通信部１０Ｔは、Ｂｌｕｅtｏｏｔｈ（登録商標）による通信を行う電子回路を内蔵しており、台所Ｒ１にある通信対象、すなわち壁等の遮蔽物がなく、近くに位置する通信対象、との間で低出力の近距離無線通信ＢＴ１を行う。
【００４０】
本実施例では、台所リモコン１０と、ガスコンロ５０、ファンヒータ６０及び炊飯器７０とが共に台所Ｒ１に設置されていることから、台所リモコン１０は、後述するコンロ内通信部５０Ｔ、ヒータ内通信部６０Ｔ及び炊飯器内通信部７０Ｔと，第１通信部１０Ｔとが近距離無線通信ＢＴ１を実行可能な範囲内に位置している。
【００４１】
＜浴室リモコンの構成＞
浴室リモコン２０は、図１、図２及び図５に示す第２表示部２０Ｄ及び第２入力部２０Ｅを有している。第２表示部２０Ｄは、液晶パネル等であり、文字や画像等の各種情報を表示する。第２入力部２０Ｅは、複数の操作スイッチにより構成されており、給湯装置９０等の操作に関する入力を受ける。
【００４２】
図５に示すように、第２入力部２０Ｅの操作スイッチには、監視開始スイッチＳＷ１、操作開始スイッチＳＷ２、スクロールスイッチＳＷ３及び確定スイッチＳＷ４が含まれている。後述するように、監視開始スイッチＳＷ１、操作開始スイッチＳＷ２、スクロールスイッチＳＷ３及び確定スイッチＳＷ４は、浴室リモコン２０によってガスコンロ５０、ファンヒータ６０及び炊飯器７０の監視や操作を行うときに使用される。第２入力部２０Ｅは、本発明の「第２端末装置の入力手段」の一例である。
【００４３】
また、浴室リモコン２０は、図２に示す第２制御部２０Ｃ及び第２通信部２０Ｔを有している。
【００４４】
第２制御部２０Ｃは、マイコン、メモリ、インターフェース回路等を含む電子回路ユニットにより構成されており、浴室リモコン２０の動作に関する制御処理を実行する。第２制御部２０Ｃは、第２入力部２０Ｅに対する入力に基づいて、第２通信部２０Ｔを経由して情報の送受信を行ったり、第２表示部２０Ｄによって、給湯装置９０の運転状況等の各種情報を表示したりする。
【００４５】
第２通信部２０Ｔは、給湯装置９０と有線によって接続されており、給湯装置９０との間で通信を行う。また、第２通信部２０Ｔは、台所リモコン１０の第１通信部１０Ｔとも有線によって接続されており、台所リモコン１０との間でも通信を行う。
【００４６】
台所リモコン１０の第１通信部１０Ｔと浴室リモコン２０の第２通信部２０Ｔとは、双方の間に壁等の遮蔽物があり、互いに離れた場所にある。このため、仮に双方の間で近距離無線通信を行うとすれば、送受信される情報の品質が低下したり、送受信ができなくなったりするおそれがある。このため、本実施例では、台所リモコン１０の第１通信部１０Ｔと、浴室リモコン２０の第２通信部２０Ｔとの間で、近距離無線通信とは異なる通信、すなわち有線通信を行っている。なお、近距離無線通信とは異なる通信として、近距離無線通信よりも高出力であるＷｉ−Ｆｉ（登録商標）等の無線通信を採用することもできる。
【００４７】
＜ガスコンロの構成＞
図１に示すように、ガスコンロ５０は、その上面に配置された複数のバーナと、その内部に設けられたグリルとを有する周知の構成を備えている。図２に示すように、ガスコンロ５０は、コンロ制御部５０Ｃ、コンロ内通信部５０Ｔ及びバッテリ５０Ｂを有している。
【００４８】
コンロ制御部５０Ｃは、マイコン、メモリ、インターフェース回路等を含む電子回路ユニットにより構成されており、ガスコンロ５０の動作に関する制御処理を実行する。
【００４９】
コンロ内通信部５０Ｔは、Ｂｌｕｅtｏｏｔｈ（登録商標）による通信を行う電子回路を内蔵しており、台所Ｒ１にある通信対象との間で低出力の近距離無線通信ＢＴ１を行うことが可能である。
【００５０】
具体的には、コンロ内通信部５０Ｔは、台所リモコン１０の第１通信部１０Ｔとの間で近距離無線通信ＢＴ１を行う。また、コンロ内通信部５０Ｔは、携帯端末３０が台所Ｒ１において作動中である場合に、携帯端末３０との間で近距離無線通信ＢＴ１を行う。コンロ内通信部５０Ｔは、本発明の「第１機器内通信部」の一例である。
【００５１】
バッテリ５０Ｂは乾電池等である。ガスコンロ５０は、バッテリ５０Ｂからコンロ制御部５０Ｃ及びコンロ内通信部５０Ｔに給電されることによって、コンロ制御部５０Ｃによるガス燃焼等の各種制御と、コンロ内通信部５０Ｔによる近距離無線通信ＢＴ１とを行う。
【００５２】
＜ファンヒータの構成＞
図１に示すように、ファンヒータ６０は、ガスや電気等により加熱した空気を室内に送風する周知の構成を備えている。図２に示すように、ファンヒータ６０は、ヒータ制御部６０Ｃ及びヒータ内通信部６０Ｔを有している。
【００５３】
ヒータ制御部６０Ｃは、マイコン、メモリ、インターフェース回路等を含む電子回路ユニットにより構成されており、ファンヒータ６０の動作に関する制御処理を実行する。
【００５４】
ヒータ内通信部６０Ｔは、本発明の「第１機器内通信部」の一例である。ヒータ内通信部６０Ｔは、ガスコンロ５０のコンロ内通信部５０Ｔと同様に、台所リモコン１０の第１通信部１０Ｔとの間で近距離無線通信ＢＴ１を行うとともに、携帯端末３０が台所Ｒ１において作動中である場合に、携帯端末３０との間で近距離無線通信ＢＴ１を行う。なお、図１及び図２では、携帯端末３０とヒータ内通信部６０Ｔとの近距離無線通信ＢＴ１についての図示を省略している。
【００５５】
＜炊飯器の構成＞
図１に示すように、炊飯器７０は、ガスや電気等により炊飯釜を加熱する周知の構成を備えている。図２に示すように、炊飯器７０は、炊飯器制御部７０Ｃ及び炊飯器内通信部７０Ｔを有している。
【００５６】
炊飯器制御部７０Ｃは、マイコン、メモリ、インターフェース回路等を含む電子回路ユニットにより構成されており、炊飯器７０の動作に関する制御処理を実行する。
【００５７】
炊飯器内通信部７０Ｔは、本発明の「第１機器内通信部」の一例である。炊飯器内通信部７０Ｔは、ガスコンロ５０のコンロ内通信部５０Ｔ等と同様に、台所リモコン１０の第１通信部１０Ｔとの間で近距離無線通信ＢＴ１を行うとともに、携帯端末３０が台所Ｒ１において作動中である場合に、携帯端末３０との間で近距離無線通信ＢＴ１を行う。なお、図１及び図２では、携帯端末３０と炊飯器内通信部７０Ｔとの近距離無線通信ＢＴ１についての図示を省略している。
【００５８】
＜カメラの構成＞
図１に示すように、カメラ８０は、デジタル画像を撮影可能な周知の構成を備えている。カメラ８０は、台所Ｒ１の壁側かつ天井側に設置され、ガスコンロ５０、ファンヒータ６０及び炊飯器７０のデジタル画像を撮影可能である。図２に示すように、カメラ８０は、カメラ制御部８０Ｃ及びカメラ内通信部８０Ｔを有している。
【００５９】
カメラ制御部８０Ｃは、マイコン、メモリ、インターフェース回路等を含む電子回路ユニットにより構成されており、カメラ８０の動作に関する制御処理を実行する。また、カメラ制御部８０Ｃは、撮影したガスコンロ５０、ファンヒータ６０及び炊飯器７０のデジタル画像から、外部に送信するための撮影情報を作成する。
【００６０】
例えば、カメラ制御部８０Ｃは、台所Ｒ１内の広範囲が写ったデジタル画像からガスコンロ５０及びその周辺をトリミングしたガスコンロ５０の撮影情報を作成してもよい。ファンヒータ６０の撮影情報や、炊飯器７０の撮影情報についても同様である。また、カメラ制御部８０Ｃは、ガスコンロ５０、ファンヒータ６０及び炊飯器７０のうちの選択されたものを好適に撮影できるようにレンズ等の向きを適宜変更し、その選択されたものの撮影情報を作成してもよい。
【００６１】
カメラ内通信部８０Ｔは、本発明の「第２機器内通信部」の一例である。カメラ内通信部８０Ｔは、Ｂｌｕｅtｏｏｔｈ（登録商標）による通信を行う電子回路を内蔵しており、台所Ｒ１に設置された台所リモコン１０の第１通信部１０Ｔとの間で近距離無線通信ＢＴ１を行う。
【００６２】
＜携帯端末の構成＞
携帯端末３０は、図１及び図２に示すタッチパネル３０Ｐを有している。タッチパネル３０Ｐは、文字や画像等の各種情報を表示するとともに、ユーザがタッチパネル３０Ｐに触れて行う操作により、各種の入力を受ける。
【００６３】
また、携帯端末３０は、図２に示す第３制御部３０Ｃ、第３通信部３０Ｔ及びメモリ３０Ｍを有している。
【００６４】
第３制御部３０Ｃは、マイコン、メモリ、インターフェース回路等を含む電子回路ユニットにより構成されており、携帯端末３０の動作に関する制御処理を実行する。第３制御部３０Ｃは、タッチパネル３０Ｐに対する入力に基づいて、第３通信部３０Ｔを経由して情報の送受信を行ったり、タッチパネル３０Ｐによって、様々な情報を表示したりする。
【００６５】
第３通信部３０Ｔは、携帯電話の周波数帯を用いて行う通話を実行可能である。また、第３通信部３０Ｔは、Ｂｌｕｅtｏｏｔｈ（登録商標）による通信を行う電子回路を内蔵しており、携帯端末３０が台所Ｒ１において作動中である場合に、台所リモコン１０の第１通信部１０Ｔ、ガスコンロ５０のコンロ内通信部５０Ｔ、ファンヒータ６０のヒータ内通信部６０Ｔ、及び炊飯器７０の炊飯器内通信部７０Ｔと近距離無線通信ＢＴ１を行う。
【００６６】
さらに、第３通信部３０Ｔは、Ｗｉ−Ｆｉ（登録商標）による通信を行う電子回路を内蔵しており、住宅Ｈ１内に設置された図示しない無線ルータ等を経由して、インターネット等のネットワークＮＷ１や、ネットワークＮＷ１に接続された外部サーバ９とネットワーク通信ＮＴ１を行うことが可能となっている。
【００６７】
メモリ３０Ｍは、第３制御部３０Ｃが携帯端末３０の動作に関する制御処理を実行するためのアプリケーションプログラムや各種のデータを記憶している。携帯端末３０は、外部サーバ９等からネットワークＮＷ１及び第３通信部３０Ｔを経由して各種のアプリケーションプログラムや情報をダウンロードすることが可能であり、そのダウンロードされたアプリケーションプログラムや情報をメモリ３０Ｍが記憶する。
【００６８】
例えば、携帯端末３０は、外部サーバ９等からネットワークＮＷ１及び第３通信部３０Ｔを経由して、加熱機器監視システム１に係る専用プログラムや、加熱機器監視システム１が監視する加熱機器に関する各種情報をダウンロードすることが可能であり、そのダウンロードされた専用プログラムや各種情報をメモリ３０Ｍが記憶する。
【００６９】
＜浴室リモコンによる加熱機器の監視及び操作の動作＞
上記構成である加熱機器監視システム１では、給湯装置９０、台所リモコン１０及び浴室リモコン２０の電源投入時に、加熱機器の監視及び操作をするために、浴室リモコン２０において、第２制御部２０Ｃが図３及び図４に示すアプリケーションプログラムを実行する。
【００７０】
なお、加熱機器監視システム１の監視対象となる加熱機器については、予めユーザによって登録処理が行われる。本実施例では、加熱機器としてガスコンロ５０、ファンヒータ６０及び炊飯器７０が登録されている。
【００７１】
浴室リモコン２０の第２制御部２０Ｃは、図３に示すステップＳ１０１において、ユーザが浴室リモコン２０の監視開始スイッチＳＷ１を押したか否かを判断する。ステップＳ１０１において「Ｙｅｓ」の場合、ステップＳ１１１に移行する。その一方、ステップＳ１０１において「Ｎｏ」の場合、ステップＳ１０２〜Ｓ１０５を実行して、バックグラウンドでガスコンロ５０、ファンヒータ６０及び炊飯器７０の監視を行う。
【００７２】
第２制御部２０Ｃは、ステップＳ１０２に移行すると、ガスコンロ５０、ファンヒータ６０及び炊飯器７０の運転情報を取得する。運転情報とは例えば、使用中か否か、正常動作中か否か等である。
【００７３】
具体的には、第２制御部２０Ｃは、第２通信部２０Ｔ及び第１通信部１０Ｔを有線通信によって経由し、さらに第１通信部１０Ｔとコンロ内通信部５０Ｔとの間での近距離無線通信ＢＴ１を経由して、コンロ内通信部５０Ｔと通信する。これにより、第２制御部２０Ｃは、ガスコンロ５０の運転情報を取得する。
【００７４】
また、第２制御部２０Ｃは、第２通信部２０Ｔ及び第１通信部１０Ｔを有線通信によって経由し、さらに第１通信部１０Ｔとヒータ内通信部６０Ｔとの間での近距離無線通信ＢＴ１を経由して、ヒータ内通信部６０Ｔと通信する。これにより、第２制御部２０Ｃは、ファンヒータ６０の運転情報を取得する。
【００７５】
さらに、第２制御部２０Ｃは、第２通信部２０Ｔ及び第１通信部１０Ｔを有線通信によって経由し、さらに第１通信部１０Ｔと炊飯器内通信部７０Ｔとの間での近距離無線通信ＢＴ１を経由して、炊飯器内通信部７０Ｔと通信する。これにより、第２制御部２０Ｃは、炊飯器７０の運転情報を取得する。
【００７６】
なお、本実施例ではバックグラウンドでの監視において、カメラ８０の撮影情報は利用しない。ただし、カメラ８０の撮影情報を画像認識技術等によって解析してエラーの発生を判断する解析手段がある場合には、バックグラウンドでの監視において、カメラ８０の撮影情報を利用することができる。
【００７７】
次に、第２制御部２０Ｃは、ステップＳ１０３に移行して、取得した運転情報に基づいて、ガスコンロ５０、ファンヒータ６０及び炊飯器７０が正常動作中か否かを判断する。ステップＳ１０３において「Ｙｅｓ」の場合、ステップＳ１０１〜Ｓ１０３を繰り返す。その一方、ステップＳ１０３において「Ｎｏ」の場合、ステップＳ１０４に移行する。
【００７８】
第２制御部２０Ｃは、ステップＳ１０４に移行すると、第２表示部２０Ｄを制御して、ガスコンロ５０、ファンヒータ６０及び炊飯器７０のうちの正常動作中ではないものについて、エラーの発生を報知する表示を行う。例えば、ガスコンロ５０が正常動作中ではない場合、図５に示すように、第２表示部２０Ｄに「エラー発生中！！コンロ」等のメッセージ等を表示する。
【００７９】
次に、第２制御部２０Ｃは、図３に示すステップＳ１０５に移行して、ユーザが浴室リモコン２０の操作開始スイッチＳＷ２を押したか否かを判断する。ステップＳ１０５において「Ｎｏ」の場合、ステップＳ１０１に戻る。そして、ユーザがエラーに対処するために監視開始スイッチＳＷ１又は操作開始スイッチＳＷ２を押すまで、ステップＳ１０１〜Ｓ１０５を繰り返す。その一方、ステップＳ１０５において「Ｙｅｓ」の場合、図４に示すステップＳ１２２に移行する。
【００８０】
第２制御部２０Ｃは、図３に示すステップＳ１０１からステップＳ１１１に移行すると、携帯端末３０を経由してコンロ内通信部５０Ｔ、ヒータ内通信部６０Ｔ及び炊飯器内通信部７０Ｔと通信するか否かを判断する。携帯端末３０が台所Ｒ１において作動中ではない場合や、ユーザ設定等によって携帯端末３０を経由することが選択されていない場合等には、ステップＳ１１１において「Ｎｏ」となり、ステップＳ１１３に移行する。その一方、携帯端末３０が台所Ｒ１において作動中であり、ユーザ設定等によって携帯端末３０を経由することが選択されている場合等には、ステップＳ１１１において「Ｙｅｓ」となり、ステップＳ１１２に移行する。
【００８１】
第２制御部２０Ｃは、ステップＳ１１２に移行すると、携帯端末３０を経由してコンロ内通信部５０Ｔ、ヒータ内通信部６０Ｔ及び炊飯器内通信部７０Ｔと通信するように設定した後、ステップＳ１１３に移行する。
【００８２】
第２制御部２０Ｃは、ステップＳ１１１又はステップＳ１１２からステップＳ１１３に移行すると、ガスコンロ５０、ファンヒータ６０及び炊飯器７０の運転情報を取得する。ステップＳ１０２との相違点は以下の２点であり、その他はステップＳ１０２と同じである。
【００８３】
第２制御部２０Ｃは、ステップＳ１１３において、携帯端末３０を経由して通信する設定がされている場合、第２通信部２０Ｔ及び第１通信部１０Ｔを有線通信によって経由し、さらに第１通信部１０Ｔと第３通信部３０Ｔとの間での近距離無線通信ＢＴ１と、第３通信部３０Ｔとコンロ内通信部５０Ｔとの間での近距離無線通信ＢＴ１とを経由して、コンロ内通信部５０Ｔと通信する。これにより、第２制御部２０Ｃは、ガスコンロ５０の運転情報を取得する。第２制御部２０Ｃがファンヒータ６０及び炊飯器７０の運転情報を取得するときも同様に、第３通信部３０Ｔを経由する。
【００８４】
また、第２制御部２０Ｃは、ステップＳ１１３において、第２通信部２０Ｔ及び第１通信部１０Ｔを有線通信によって経由し、さらに第１通信部１０Ｔとカメラ内通信部８０Ｔとの間での近距離無線通信ＢＴ１を経由して、カメラ内通信部８０Ｔと通信する。これにより、第２制御部２０Ｃは、ガスコンロ５０、ファンヒータ６０及び炊飯器７０の運転情報として、カメラ８０の撮影情報を取得する。
【００８５】
次に、第２制御部２０Ｃは、ステップＳ１１４に移行して、取得した運転情報に基づいて第２表示部２０Ｄを制御し、図６に示すように、ガスコンロ５０、ファンヒータ６０及び炊飯器７０の使用状態を示す「使用中」や「停止」等のメッセージを表示する。この状態で、ユーザが浴室リモコン２０のスクロールスイッチＳＷ３を任意の回数押して詳細を知りたい加熱機器に三角形のカーソルを移動させ、浴室リモコン２０の確定スイッチＳＷ４を押すことで、詳細を知りたい加熱機器を選択できる。
【００８６】
次に、第２制御部２０Ｃは、ステップＳ１１５に移行して、ユーザが詳細を知りたい加熱機器としてガスコンロ５０を選択したか否かを判断する。ステップＳ１１５において「Ｎｏ」の場合、ステップＳ１１７に移行する。その一方、ステップＳ１１５において「Ｙｅｓ」の場合、ステップＳ１１６に移行する。
【００８７】
第２制御部２０Ｃは、ステップＳ１１６に移行すると、取得した運転情報に基づいて第２表示部２０Ｄを制御し、例えば図５及び図７に示すように、ガスコンロ５０の詳細を表示する。この際、カメラ８０の撮影情報に基づいてガスコンロ５０の撮影画像Ｐ５０も一緒に表示することで、ユーザがガスコンロ５０の状態を視認できる。また、図５に示すように、ガスコンロ５０が正常動作中ではない場合、エラーの発生を報知する表示を行う。その後、図４に示すステップＳ１２１に移行する。
【００８８】
第２制御部２０Ｃは、図３に示すステップＳ１１５からステップＳ１１７に移行すると、ユーザが詳細を知りたい加熱機器としてファンヒータ６０を選択したか否かを判断する。ステップＳ１１７において「Ｎｏ」の場合、ステップＳ１１９に移行する。その一方、ステップＳ１１７において「Ｙｅｓ」の場合、ステップＳ１１８に移行する。
【００８９】
第２制御部２０Ｃは、ステップＳ１１８に移行すると、取得した運転情報に基づいて第２表示部２０Ｄを制御し、ファンヒータ６０の詳細を表示する。この際、カメラ８０の撮影情報に基づいてファンヒータ６０の撮影画像も一緒に表示することで、ユーザがファンヒータ６０の状態を視認できる。また、ファンヒータ６０が正常動作中ではない場合、エラーの発生を報知する表示を行う。それらの表示内容は、ガスコンロ５０の場合と同様であるので図示は省略する。その後、図４に示すステップＳ１２１に移行する。
【００９０】
第２制御部２０Ｃは、図３に示すステップＳ１１７からステップＳ１１９に移行すると、ユーザが詳細を知りたい加熱機器として炊飯器７０を選択したか否かを判断する。ステップＳ１１９において「Ｎｏ」の場合、図４に示すステップＳ１２１に移行する。その一方、図３に示すステップＳ１１９において「Ｙｅｓ」の場合、ステップＳ１２０に移行する。
【００９１】
第２制御部２０Ｃは、ステップＳ１２０に移行すると、取得した運転情報に基づいて第２表示部２０Ｄを制御し、炊飯器７０の詳細を表示する。この際、カメラ８０の撮影情報に基づいて炊飯器７０の撮影画像も一緒に表示することで、ユーザが炊飯器７０の状態を視認できる。また、炊飯器７０が正常動作中ではない場合、エラーの発生を報知する表示を行う。それらの表示内容は、ガスコンロ５０の場合と同様であるので図示は省略する。その後、図４に示すステップＳ１２１に移行する。
【００９２】
第２制御部２０Ｃは、図３に示すステップＳ１１６、ステップＳ１１８、ステップＳ１１９又はステップＳ１２０から図４に示すステップＳ１２１に移行すると、ユーザが操作開始スイッチＳＷ２を押したか否かを判断する。ステップＳ１２１において「Ｎｏ」の場合、ステップＳ１２６に移行する。その一方、ステップＳ１２１において「Ｙｅｓ」の場合、ステップＳ１２２に移行する。
【００９３】
第２制御部２０Ｃは、ステップＳ１２２に移行すると、操作対象の機器の選択と、操作の選択とを受け付ける。例えば、ユーザがスクロールスイッチＳＷ３及び確定スイッチＳＷ４を押して、図５及び図７に示すように、「コンロ消火しますか？」の下に表示される「Ｙｅｓ」や「Ｎｏ」を選択すると、第２制御部２０Ｃは、その選択を受け付ける。
【００９４】
なお、本実施例では、説明の単純化のため、操作の選択を消火するか否かのみとしているがこれには限定されず、例えば、何分後に消火又は着火するというタイマ操作等の様々な操作を選択可能であってもよい。また、ガスコンロ５０において、複数のバーナ及びグリルのそれぞれに対して個別に消火するか否かを選択してもよいし、複数のバーナ及びグリルの全部に対して一括で消火するか否かを選択してもよい。
【００９５】
次に、第２制御部２０Ｃは、ステップＳ１２３に移行して、消火指示を受けたか否かを判断する。ステップＳ１２３において「Ｎｏ」の場合、ステップＳ１２５に移行する。その一方、ステップＳ１２３において「Ｙｅｓ」の場合、ステップＳ１２４に移行する。
【００９６】
第２制御部２０Ｃは、ステップＳ１２４に移行すると、ガスコンロ５０、ファンヒータ６０及び炊飯器７０のうちの消火指示を受けたものについて、消火し、又は電源をＯＦＦにする。
【００９７】
具体的には、第２制御部２０Ｃは、ガスコンロ５０の消火指示を受けた場合、第２通信部２０Ｔ及び第１通信部１０Ｔを経由して、コンロ内通信部５０Ｔと通信することにより、ガスコンロ５０を消火する。携帯端末３０を経由して通信する設定がされている場合、第２制御部２０Ｃは、さらに第３通信部３０Ｔを経由してコンロ内通信部５０Ｔと通信することにより、ガスコンロ５０を消火する。
【００９８】
また、第２制御部２０Ｃは、ファンヒータ６０の消火指示を受けた場合、第２通信部２０Ｔ及び第１通信部１０Ｔを経由して、ヒータ内通信部６０Ｔと通信することにより、ファンヒータ６０を消火する。携帯端末３０を経由して通信する設定がされている場合、第２制御部２０Ｃは、さらに第３通信部３０Ｔを経由してヒータ内通信部６０Ｔと通信することにより、ファンヒータ６０を消火する。
【００９９】
さらに、第２制御部２０Ｃは、炊飯器７０の消火指示を受けた場合、第２通信部２０Ｔ及び第１通信部１０Ｔを経由して、炊飯器内通信部７０Ｔと通信することにより、炊飯器７０を消火する。携帯端末３０を経由して通信する設定がされている場合、第２制御部２０Ｃは、さらに第３通信部３０Ｔを経由して炊飯器内通信部７０Ｔと通信することにより、炊飯器７０を消火する。
【０１００】
消火を終えた後、第２制御部２０Ｃは、ステップＳ１２５に移行する。
【０１０１】
第２制御部２０Ｃは、ステップＳ１２３又はステップＳ１２４からステップＳ１２５に移行すると、ユーザがスクロールスイッチＳＷ３及び確定スイッチＳＷ４を押して操作の終了を指示したか否かを判断する。ステップＳ１２５において「Ｎｏ」の場合、ステップＳ１２２に戻って操作を継続する。その一方、ステップＳ１２５において「Ｙｅｓ」の場合、ステップＳ１２６に移行する。
【０１０２】
第２制御部２０Ｃは、ステップＳ１２１又はステップＳ１２５からステップＳ１２６に移行すると、ユーザがスクロールスイッチＳＷ３及び確定スイッチＳＷ４を押して監視の終了を指示したか否かを判断する。ステップＳ１２６において「Ｎｏ」の場合、図３に示すステップＳ１１３に戻って、監視を継続する。その一方、ステップＳ１２６において「Ｙｅｓ」の場合、このプログラムを終了する。
【０１０３】
＜作用効果＞
実施例の加熱機器監視システム１では、ガスコンロ５０のコンロ内通信部５０Ｔ、ファンヒータ６０のヒータ内通信部６０Ｔ、及び炊飯器７０の炊飯器内通信部７０Ｔと、台所リモコン１０の第１通信部１０Ｔとの間で、近距離無線通信ＢＴ１によって通信が行われる。
【０１０４】
ここで、台所リモコン１０は、ガスコンロ５０、ファンヒータ６０及び炊飯器７０と共に台所Ｒ１に設置され、コンロ内通信部５０Ｔ、ヒータ内通信部６０Ｔ及び炊飯器内通信部７０Ｔと，第１通信部１０Ｔとが近距離無線通信ＢＴ１を実行可能な範囲内に位置していることから、ガスコンロ５０、ファンヒータ６０及び炊飯器７０と台所リモコン１０との間で低出力の近距離無線通信ＢＴ１によって送受信される情報の品質の低下及び送受信ができなくなる不具合が発生し難い。
【０１０５】
そして、浴室リモコン２０の第２通信部２０Ｔと台所リモコン１０の第１通信部１０Ｔとの間で、近距離無線通信ＢＴ１とは異なる通信、すなわち有線通信が行われる。これにより、台所Ｒ１に設置されたガスコンロ５０、ファンヒータ６０及び炊飯器７０と、浴室Ｒ２に設置された浴室リモコン２０とが互いに離れた場所にあり、かつ、ガスコンロ５０、ファンヒータ６０及び炊飯器７０と浴室リモコン２０との間に壁等があっても、浴室リモコン２０の第２制御部２０Ｃは、第２通信部２０Ｔ及び第１通信部１０を有線通信によって経由し、さらに第１通信部１０Ｔと、コンロ内通信部５０Ｔ、ヒータ内通信部６０Ｔ及び炊飯器内通信部７０Ｔとの間での近距離無線通信ＢＴ１を経由して、ガスコンロ５０、ファンヒータ６０及び炊飯器７０と通信することにより、ガスコンロ５０、ファンヒータ６０及び炊飯器７０の監視を適正に行うことができる。
【０１０６】
その結果、ユーザは、図５〜図７に例示するように、浴室リモコン２０の第２表示部２０Ｄに表示されるガスコンロ５０、ファンヒータ６０及び炊飯器７０についての報知を確認することにより、ガスコンロ５０、ファンヒータ６０及び炊飯器７０に消し忘れ等の異常がないか等、ガスコンロ５０、ファンヒータ６０及び炊飯器７０の運転情報を好適に確認することができる。
【０１０７】
したがって、実施例の加熱機器監視システム１では、ガスコンロ５０、ファンヒータ６０及び炊飯器７０等である加熱機器に係る通信の省電力化を実現しつつ、加熱機器を利用するユーザの利便性を向上させることができる。
【０１０８】
また、この加熱機器監視システム１では、第１端末装置が台所リモコン１０であり、第２端末装置が浴室リモコン２０である。この構成により、仮に専用の第１端末装置を台所リモコン１０とは別に設ける場合と比較して、台所Ｒ１内における第１端末装置の設置スペースを容易に確保できるとともに、台所Ｒ１内の景観が損なわれることを抑制できる。また、入浴中のユーザが入浴を中断することなく、浴室リモコン２０を用いてガスコンロ５０、ファンヒータ６０及び炊飯器７０の運転情報を好適に確認することができる。
【０１０９】
さらに、この加熱機器監視システム１では、ガスコンロ５０は、乾電池等であるバッテリ５０Ｂからコンロ制御部５０Ｃ及びコンロ内通信部５０Ｔに給電されることによって、コンロ制御部５０Ｃによるガス燃焼等の各種制御と、コンロ内通信部５０Ｔによる近距離無線通信ＢＴ１とを行う。そして、近距離無線通信ＢＴ１を行うコンロ内通信部５０Ｔの消費電力が小さいことにより、バッテリ５０Ｂの寿命を長くできる。
【０１１０】
また、この加熱機器監視システム１では、浴室リモコン２０は、図５に示すように、監視開始スイッチＳＷ１、操作開始スイッチＳＷ２、スクロールスイッチＳＷ３及び確定スイッチＳＷ４を含む第２入力部２０Ｅを有している。そして、浴室リモコン２０の第２制御部２０Ｃは、図４に示すステップＳ１２２〜Ｓ１２５において、ガスコンロ５０、ファンヒータ６０及び炊飯器７０の操作に関する入力を第２入力部２０Ｅが受けたときに、第２通信部２０Ｔ及び第１通信部１０Ｔを経由して、コンロ内通信部５０Ｔ、ヒータ内通信部６０Ｔ及び炊飯器内通信部７０Ｔと通信することにより、ガスコンロ５０、ファンヒータ６０及び炊飯器７０を操作可能である。この構成により、台所Ｒ１から離れた浴室Ｒ２において、浴室リモコン２０を操作することにより、ガスコンロ５０、ファンヒータ６０及び炊飯器７０に消し忘れ等の異常がないかを確認したり、ガスコンロ５０、ファンヒータ６０及び炊飯器７０に異常があったときにガスコンロ５０、ファンヒータ６０及び炊飯器７０の消火を行ったりすることができるので、ガスコンロ５０、ファンヒータ６０及び炊飯器７０の安全性をより向上させることができる。また、ガスコンロ５０、ファンヒータ６０及び炊飯器７０に異常があったときに、その異常を解消するためにユーザが浴室Ｒ２から台所Ｒ１まで移動する手間を省くことができるので、ユーザの利便性をより向上させることができる。
【０１１１】
さらに、この加熱機器監視システム１では、浴室リモコン２０の第２制御部２０Ｃは、図３に示すステップＳ１１３において、第２通信部２０Ｔ及び第１通信部１０Ｔを経由してカメラ内通信部８０Ｔと通信することにより、運転情報としてカメラ８０の撮影情報を取得する。そして、第２制御部２０Ｃは、図３に示すステップＳ１１６、Ｓ１１８、Ｓ１２０において、カメラ８０の撮影情報に基づいてガスコンロ５０の撮影画像Ｐ５０や、ファンヒータ６及び炊飯器７０のそれぞれの撮影画像を第２表示部２０Ｄに表示する。この構成により、台所Ｒ１から離れた浴室Ｒ２において、ガスコンロ５０、ファンヒータ６０及び炊飯器７０の運転状況やその周辺の状況を容易に確認できるとともに、浴室リモコン２０の第２入力部２０Ｅに対する入力が必要か否かを容易に判断できる。その結果、ユーザの利便性をより一層向上させることができる。
【０１１２】
また、この加熱機器監視システム１では、浴室リモコン２０の第２制御部２０Ｃは、図３に示すステップＳ１１２において、携帯端末３０を経由してコンロ内通信部５０Ｔ、ヒータ内通信部６０Ｔ及び炊飯器内通信部７０Ｔと通信するように設定した場合に、ステップＳ１１３において、第３通信部３０Ｔを経由して、ガスコンロ５０、ファンヒータ６０及び炊飯器７０の運転情報を取得する。この構成により、携帯端末３０は、外部サーバ９を経由した専用プログラムの更新や、加熱機器の追加及び削除等の設定情報の更新を容易に実施できる。そのような携帯端末３０を活用してガスコンロ５０、ファンヒータ６０及び炊飯器７０を監視することにより、ユーザの利便性をより一層向上させることができる。また、ガスコンロ５０、ファンヒータ６０及び炊飯器７０の消火指示を浴室リモコン２０の第２入力部２０Ｅが受けたときに、図４に示すステップＳ１２４において、携帯端末３０を経由して、ガスコンロ５０、ファンヒータ６０及び炊飯器７０を消火ですることもできる。
【０１１３】
また、図３及び図４に示す実施例のアプリケーションプログラムは、浴室リモコン２０にインストールされる。これにより、図３のステップＳ１１１、Ｓ１１２において、浴室リモコン２０が携帯端末３０の第３通信部３０Ｔを経由してガスコンロ５０、ファンヒータ６０及び炊飯器７０と通信する設定を行うことができる。ここで、携帯端末３０は外部サーバ９を経由して専用プログラムの更新等を行うときに、ガスコンロ５０、ファンヒータ６０及び炊飯器７０の追加及び削除等の設定情報の更新を容易に実施できることから、浴室リモコン２０は、そのような携帯端末３０を利用してガスコンロ５０、ファンヒータ６０及び炊飯器７０の監視を適正に行うことができる。その結果、ユーザは、浴室リモコン２０の報知に基づいて、ガスコンロ５０、ファンヒータ６０及び炊飯器７０に消し忘れ等の異常がないか等、ガスコンロ５０、ファンヒータ６０及び炊飯器７０の運転情報を好適に確認することができる。
【０１１４】
したがって、実施例のアプリケーションプログラムでは、ガスコンロ５０、ファンヒータ６０及び炊飯器７０等である加熱機器に係る通信の省電力化を実現しつつ、加熱機器を利用するユーザの利便性を向上させることができる。
【０１１５】
以上において、本発明を実施例に即して説明したが、本発明は上記実施例に制限されるものではなく、その趣旨を逸脱しない範囲で適宜変更して適用できることはいうまでもない。
【０１１６】
例えば、図１に示す寝室Ｒ３に、浴室リモコン２０と同様の構成である第２端末装置２９を設置し、ユーザが寝室Ｒ３で第２端末装置２９を用いて、ガスコンロ５０、ファンヒータ６０及び炊飯器７０の監視や操作を行ってもよい。
【０１１７】
浴室リモコン２０の第２入力部２０Ｅを操作して、ガスコンロ５０、ファンヒータ６０及び炊飯器７０に対する消火指示を行うときに、図８に示すように、「機器を個別に消火しますか？」と表示して、個別に消火指示を行うようにしてもよいし、図９に示すように、「全機器を消火しますか？」と表示して、全機器に一括して消火指示を行うようにしてもよい。
【０１１８】
実施例では、第３端末装置が携帯端末３０であるがこの構成には限定されない。例えば、第３端末装置は、据え置き型のパソコン等、携帯式でない情報端末装置であってもよい。
【０１１９】
実施例では、第２端末装置の一例である浴室リモコン２０にアプリケーションプログラムがインストールされているがこの構成には限定されない。例えば、アプリケーションプログラムは、第３端末装置の一例である携帯端末３０にインストールされていてもよい。この場合のアプリケーションプログラムは、図３及び図４に示すアプリケーションプログラムを携帯端末３０に合わせて適宜変更したものとなる。
【産業上の利用可能性】
【０１２０】
本発明は宅内に設置される各種の加熱機器に利用可能である。
【符号の説明】
【０１２１】
１…加熱機器監視システム
ＢＴ１…近距離無線通信
５０Ｔ、６０Ｔ、７０Ｔ…第１機器内通信部（５０Ｔ…コンロ内通信部、６０Ｔ…ヒータ内通信部、７０Ｔ…炊飯器内通信部）
５０、６０、７０…加熱機器（５０…ガス加熱調理器（ガスコンロ）、６０…ファンヒータ、７０…炊飯器）
１０Ｔ…第１通信部
１０…第１端末装置（台所リモコン）
２０Ｔ…第２通信部
２０…第２端末装置（浴室リモコン）
Ｈ１…宅（住宅）
Ｒ１…台所
Ｒ２…浴室
９０…給湯装置
５０Ｂ…バッテリ
２０Ｅ…第２端末装置の入力手段（第２入力部）
８０Ｔ…第２機器内通信部（カメラ内通信部）
８０…撮影機器（カメラ）
３０Ｔ…第３通信部
３０…第３端末装置（携帯端末）
ＮＷ１…ネットワーク
９…外部サーバ
【図１】
2020150454.tif 000003
【図２】
2020150454.tif 000004
【図３】
2020150454.tif 000005
【図４】
2020150454.tif 000006
【図５】
2020150454.tif 000007
【図６】
2020150454.tif 000008
【図７】
2020150454.tif 000009
【図８】
2020150454.tif 000010
【図９】
2020150454.tif 000011